(57)【要約】【課題】小さな回転数から大きな回転数まで安定した回転数検出を行える回転数検出装置を得る。【解決手段】被検出対象の回転数に応じた数の連続して生起されるパルスを導出するパルスカウンタ１２、パルスカウンタ１２により導出されたパルス出力を入力され前記パルス出力のパルス数の対数に相当するパルス数のパルス出力を導出する対数変換器１８、対数変換器１８により導出されたパルス出力をデジタル信号からアナログ信号に変換するデジタルアナログ変換器１９を備え、デジタルアナログ変換器１９による出力を回転数信号として導出する。【選択図】図１
2005249620.tif 000002
【特許請求の範囲】
【請求項１】
被検出対象の回転数に応じた数の連続して生起されるパルスを導出するパルス出力手段、前記パルス出力手段により導出されたパルス出力を入力され前記パルス出力のパルス数の対数に相当するパルス数のパルス出力を導出する対数変換手段、前記対数変換手段により導出されたパルス出力をデジタル信号からアナログ信号に変換するデジタルアナログ変換手段を備え、前記デジタルアナログ変換手段による出力を回転数信号として導出することを特徴とする回転数検出装置。
【請求項２】
前記デジタルアナログ変換手段による出力が回転数信号として入力される計器を設けたことを特徴とする請求項１に記載の回転数検出装置。
【請求項３】
直線比例目盛信号と、前記対数変換手段で得られる対数目盛信号とを選択する選択手段を設けたことを特徴とする請求項１に記載の回転数検出装置。
【請求項４】
前記選択手段により選択される前記直線比例目盛信号または前記対数目盛信号が回転数信号として入力される二重目盛計器を設けたことを特徴とする請求項３に記載の回転数検出装置。
【請求項５】
回転数信号としての直線比例目盛信号と、前記対数変換手段で得られる回転数信号としての対数目盛信号とを回転数に応じて選択する選択手段を設けたことを特徴とする請求項１に記載の回転数検出装置。
【請求項６】
前記選択手段により選択される前記直線比例目盛信号または前記対数目盛信号が回転数信号として入力される２ゾーン目盛計器を設けたことを特徴とする請求項５に記載の回転数検出装置。
【発明の詳細な説明】
【技術分野】
【０００１】
この発明は、回転数検出装置、特に、上水処理、下水処理、汚泥処理プラント、および鉄鋼、工業、化学、発電他の各種産業プラントにおける電動機の回転数検出装置に関するものである。
【背景技術】
【０００２】
電動機が無負荷時の回転数Ｎ（ｒｐｍ）は、次の（１）式により求められる。極数２極で電源周波数６０Ｈｚなら３６００ｒｐｍ、５０Ｈｚなら３０００ｒｐｍである。
Ｎ＝2ｆ×60／Ｐ………（１）
ｆ：電源周波数
Ｐ：極数
Ｎ：回転数（ｒｐｍ）
【０００３】
負荷がかかると負荷の大きさに応じ、すべり速度を生じ回転数は下がる。回転数検出にはタコジェネレータ（tachometer_generator：速度計用発電機）、電源ピックアップ、渦電流センサなどが広く使用されている。
いずれの場合も、取り出す信号は回転に同期した正弦波に近い交流電圧信号である（以下、回転数信号という）。これを変換器で受信計器に適した電気信号に変換する。受信計器には、指示計、記録計、調節計、計算機他さまざまな機器で、計測、監視、制御、データ蓄積が行なわれる。
【０００４】
電動機が動力として使用されるときは同期速度か同期速度に近い回転数で運転される。接続される機械設備に応じ、歯車、ギア、ベルト等と組み合わせ所望の回転数を得る。
極端に小さな回転数で使用される場合がある。上水処理、下水処理、汚泥処理などで消毒、浮遊物の沈殿促進などの目的で使用される薬品の注入率を一定にする制御、あるいは注入量を一定にする制御にしばしば見受けられる。薬品の濃度がｐｐｍ（ｍｇ／Ｌ）〜ｇ／Ｌ〜％  オーダー単位で注入される。
これらに使用されるポンプ類の駆動にも電動機が使用されるが、定期、定量に注入が必要であるため制御は微妙で回転数は１ｒｐｍ、０．１ｒｐｍ、オーダーからタンクへの初回注入のときは短時間に注入完了する必要性から同期速度、もしくはこれを超える場合もある。
このような目的で使用される電動機は商用電源では制御が難しいため、多くの場合インバータが使用される。
【０００５】
近年、技術進歩で小さな０．１ｒｐｍや１ｒｐｍオーダーで制御、運転が可能になってきた。同時に監視、指示計器も０．１ｒｐｍや１ｒｐｍに対応できる必要性が高まってきた。
回転数に限ったものではないがレンジアビリティー（目盛最大：読み取ることが可能な最小目盛）は１００：１程度が普通で１００：０．５、程度で限界である場合が多い。従前の回転数検出装置では目盛最大が、たとえば５０００ｒｐｍの装置では０．１ｒｐｍや１ｒｐｍを表示は極めて困難である。
低速度用、高速度用の２つの装置を設置したり、機器に特別な処置で対処しているのが現状である。
【０００６】
目盛最大５０００ｒｐｍに対し０．１ｒｐｍはレンジアビリティー５００００：１で変換器、指示計、記録計ほか各種機器には不感帯の域で、不感帯零を実現できても人間が読むことができる変移量以下であって、読み取ることはできない。
また、不感帯零で製作すると微細な信号変化で出力が乱れるので監視、制御上は採用不可である。
【０００７】
ディジタル表示式指示計で０．１ｒｐｍや１ｒｐｍの表示を考えると回転数信号はパルス間隔が６００秒、６０秒になる。市販されている多くのディジタル表示式指示計は一定時間経過してパルスがこないときは、ゼロを指示する。よって、０．１ｒｐｍや１ｒｐｍを表示することは不可能である。
【０００８】
この発明は、対数変換を応用して小さな回転数から大きな回転数まで安定した回転数検出を行おうとするものである。
【０００９】
対数変換回路については、その具体的構成につき提案がされているが（例えば、特許文献１および特許文献２参照）、回転数検出に応用したものは、見当たらない。
【００１０】
【特許文献１】特開昭５５−１６２１０号公報
【特許文献２】特開平６１−２５５４３５号公報
【発明の開示】
【発明が解決しようとする課題】
【００１１】
前述の通り、従来技術ではひとつの計器で５０００ｒｐｍと０．１ｒｐｍを表示させること等は難しい。
【００１２】
この発明は、以上の問題を解決し、小さな回転数から大きな回転数まで安定した回転数検出を行える回転数検出装置を提供しようとするものである。
【課題を解決するための手段】
【００１３】
この発明に係る回転数検出装置では、被検出対象の回転数に応じた数の連続して生起されるパルスを導出するパルス出力手段により導出されたパルス出力を入力され前記パルス出力のパルス数の対数に相当するパルス数のパルス出力を導出する対数変換手段、前記対数変換手段により導出されたパルス出力をデジタル信号からアナログ信号に変換するデジタル／アナログ変換手段を備え、前記デジタル／アナログ変換手段による出力を回転数信号として導出するようにしたものである。
【発明の効果】
【００１４】
この発明によれば、小さな回転数から大きな回転数まで安定した回転数検出を行える回転数検出装置を提供することができる。
【発明を実施するための最良の形態】
【００１５】
実施の形態１．
この発明による実施の形態１を図１および図２について説明する。図１は実施の形態１における回路構成を示すブロック図である。図２は実施の形態１における対数圧縮目盛指示計の外観構成を示す斜視図および対数圧縮目盛指示計の入力・目盛特性を示す線図である。
【００１６】
図１において、回転数信号発生器８で発生された回転数信号９は、ワイドレンジ回転数信号変換器１に設けられた波形整形器１０に入力される。ワイドレンジ回転数信号変換器１は、クロックパルス発生器１１、パルスカウンタ１２、対数変換器１８、ディジタルアナログ変換器１９、出力調整器２０、利得調整用可変抵抗器２２、零点調整用可変抵抗器２３、回転数零検出回路１７によって構成される。ワイドレンジ回転数信号変換器１の出力は、対数目盛指示計５１に導出される。
【００１７】
動作について説明する。
図１において回転数信号発生器８は電動機の回転に同期した正弦波、もしくはパルス信号を出力する。商用電源で駆動される電動機用回転数検出器にはタコジェネレータ（tachometer_generator：速度計用発電機）、電磁式ピックアップ、渦電流センサなどが使用されているが出力は正弦波に近い交流で、いずれでもよい。インバータで運転される電動機の場合、インバータより電動機回転に同期したパルス信号が出力される。
【００１８】
回転数信号発生器８は回転数信号９を出力する。波形整形器１０は回転数信号９をパルスカウンタ１２が確実に動作する電圧と時間幅を持つパルス信号に整形する。波形整形器１０の出力と回転数信号９の周波数と位相は同じである。クロックパルス発生器１１は周波数１０ｋＨｚでパルスカウンタ１２が確実に動作する電圧を持つパルス信号を発生させる。パルスカウンタ１２はパルス信号Ｐｎでカウントを始め、Ｐｎ＋１でカウントを終える。対数変換器１８はパルスカウンタ１２がカウントしたパルス数Ｍ〔個〕の対数に比例したアナログ信号を作る。出力調整器２１は対数変換器１８の出力より計装統一信号ＤＣ４〜２０ｍＡに変換する。対数目盛指示計５１に接続し利得調整用可変抵抗器２２および零点調整用可変抵抗器２３で利得調整零点調整を行う。
【００１９】
回転数零検出回路１７は、パルスカウンタ１２の出口における回転数信号の零状態を検出して、これをディジタルアナログ変換器１９に通報し、ディジタルアナログ変換器１９における変換動作を中止させて、回転数信号の零状態におけるディジタルアナログ変換器１９での変換動作の不安定化を防止する。
【００２０】
電動機回転数Ｎとクロックパルス数Ｍには、次の（２）式に示す関係がある。
Ｎ＝ｆｃ×60／Ｍ………（２）
電動機の回転数              ：Ｎ〔ｒｐｍ〕
クロックパルス周波数        ：ｆｃ〔ｋＨｚ〕
カウンタ１２が数えたパルス数：Ｍ〔個〕
【００２１】
そして、クロックパルス周波数を１０ｋＨｚとすると、電動機回転数Ｎとクロックパルス数Ｍには、次の（３）式に示す関係がある。
Ｎ＝60×10×10３／Ｍ………（３）
【００２２】
（３）式の両辺の対数をとる。次の（４）式の通りとなる。
logＮ＝log（600000／Ｍ）………（４）
【００２３】
出力調整器の出力を０〜１００％で考える。回転数目盛最小０．５ｒｐｍを０％とすると０ｒｐｍを読み取ることができない。このため回転数目盛最小を１２．５％位置とする。回転数目盛最大５０００ｒｐｍは１００％位置である。指示計指針の１２．５〜１００％目盛間の％指示位置Ｙ12.5〜100は、次の（５）式の通りである。
Ｙ12.5〜100＝87.5log(Ｎ/0.5)／(log5000−log0.5)＋12.5
＝21.875×log(Ｎ/0.5)／(log5000−log0.5)＋12.5………（５）
【００２４】
対数変換器１８は背景技術の欄で特許文献１として提示した特開昭５５−１６２１０号公報に示されたデジタル−アナログ対数変換回路の利用が有効である。また、特許文献２として提示した特開昭６１−２５５４３５号公報に示された対数変換装置の応用もよい。さらに、現在では多種大量に市販されている関数演算機能付電卓に組み込まれている対数演算素子にＤ−Ａコンバータを組合わせても対数変換が実現できる。他にも多数の方策があるが、いずれの方策を使用してもよい。
【００２５】
対数変換器によっては対数変換器への信号取り込み、および演算に時間Ｔ秒を要するが、対数変換器の信号読み込みを時間Ｔ＋α秒間、取り込みを休むことでクリアーできる。回転数の変化は急激ではないのでＴ＋α秒が５．１０秒であっても計測には悪影響はでない。この間は指示値は直前値を計測出力する。
【００２６】
図２（ａ）は実施の形態１における対数圧縮目盛指示計の外観構成を示す斜視図である。図２（ｂ）は対数圧縮目盛指示計の入力・目盛特性を示す特性線図である。
図２において、対数目盛指示計５１は、図１に示すワイドレンジ回転数信号変換器の出力を受けて回転数を指示する。入力と目盛の関係を図２（ｂ）に示す。図２に示したタイプの指示計はパネル取り付タイプの角型指示計で広く使用されている。他にも縦長タイプ、横長タイプいずれでも適用できる。ＬＥＤによるバーグラフ表示にも、図２（ｂ）に示す入力と目盛の関係を満足させた目盛板と組み合わせることで目的を達する。
【００２７】
この発明による実施の形態１では、クロックパルス発生器、パルスカウンタ、および対数変換器を持ち、たとえば０．５〜５０００ｒｐｍといった小さな回転数から大きな回転数の対数に比例した電気信号を出力することを特徴とするワイドレンジ回転数信号変換器が提案されている。
【００２８】
また、この発明による実施の形態１では、前項の構成によるワイドレンジ回転数信号変換器で形成された電気信号（例：ＤＣ４〜２０ｍＡ）を受けて対数目盛で従前より２桁小さな回転数を読み取ることができる指示計が提案されている。
【００２９】
この発明による実施の形態１では、ワイドレンジ回転数信号変換器は１回転に要する時間内にクロックパルスが何個あるかカウントしてその個数の対数を求めこれをアナログ信号に変換、出力することで小さな回転数と大きな回転数を計測、表示可能にしたものである。
【００３０】
また、この発明による実施の形態１では、回転数指示計は対数処理されたアナログ信号を受ける指示計で対数目盛により小さな回転数から大きな回転数までワイドなレンジを指示可能にしたものである。
【００３１】
この発明による実施の形態１によれば、被検出対象の回転数に応じた数の連続して生起されるパルスを導出するパルスカウンタ１２からなるパルス出力手段、前記パルスカウンタ１２からなるパルス出力手段により導出されたパルス出力を入力され前記パルス出力のパルス数の対数に相当するパルス数のパルス出力を導出する対数変換器１８からなる対数変換手段、前記対数変換器１８からなる対数変換手段により導出されたパルス出力をデジタル信号からアナログ信号に変換するデジタルアナログ変換器１９からなるデジタルアナログ変換手段を備え、前記デジタルアナログ変換器１９からなるデジタルアナログ変換手段による出力を回転数信号として導出するようにしたので、小さな回転数から大きな回転数まで安定した回転数検出を行える回転数検出装置を提供することができる。
【００３２】
また、この発明による実施の形態１によれば、前項の構成において、前記デジタルアナログ変換器１９からなるデジタルアナログ変換手段による出力が回転数信号として入力される対数圧縮目盛指示計５１からなる指示計または記録計等の計器を設けたので、小さな回転数から大きな回転数まで安定した回転数検出を行える計器を持つ回転数検出装置を提供することができる。
【００３３】
実施の形態２．
この発明による実施の形態２を図３および図４について説明する。図３は実施の形態２における回路構成を示すブロック図である。図４（ａ）は実施の形態２における二重目盛指示計の外観構成を示す斜視図である。図４（ｂ）は二重目盛指示計の入力・目盛特性を示す特性線図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００３４】
実施の形態１によるワイドレンジ回転数信号変換器１では出力は対数圧縮された信号のみであった。指示計が対数目盛で、目盛刻線が等間隔でないため、読み取りにくい。計算尺のように細かく目盛り線を刻んでも０．５〜１．５ｍくらい離れた地点から読み取る場合が多く、かえって読み難くくなることも考えられる。読み取り誤差、読む人間によるばらつきが大きくなることを考えると、ある回転数以上では従来技術の直線比例目盛が実用上有利である。
【００３５】
図３は実施の形態２を示す回路構成図である。この実施の形態２におけるワイドレンジ回転数信号変換器２では、実施の形態１によるワイドレンジ回転数信号変換器１による回転数信号に加えて、従来技術による直線比例信号も出力できる。
図３において、目盛選択スイッチ６１により選択されるアナログスイッチ１３が設けられ、ワンショット発生器１４、積分器１５、使用目盛表示用ランプ電源供給回路１６、出力調整回路２５、直線比例信号利得調整用抵抗３２、直線比例信号零点調整用抵抗３３が設けられている。出力調整回路２５の出力は二重目盛指示計５２に供給される。他の構成素子は実施の形態１と同じである。
【００３６】
動作について説明する。
図３においてワンショット発生器１４、積分器１５、直線比例信号利得調整用抵抗３２、直線比例信号零点調整用抵抗３３は従来技術による直線比例信号を得るための一般的構成素子である。入力と目盛の関係は直線である。
手動操作される目盛選択スイッチ６１で選択されたモードをアナログスイッチ１３が受信し直線比例出力もしくは対数目盛信号のいずれかを、出力調整回路を経由し指示計へ送る。ランプ表示出力回路１６で使用されている目盛を指示計目盛板上の表示灯に点灯させる。
大きな回転数域では直線比例出力を選択すれば、ワイドレンジ回転数信号変換器２の大きな回転数域における出力信号の識別が容易となり、読み取り誤差軽減と読み取りやすさ向上が図れる。小さな回転数では対数目盛出力を選択することで直線比例目盛では読み取れない小さな回転数も読み取ることができる。
【００３７】
図４（ａ）は実施の形態２における二重目盛指示計の外観を示す構成図である。図４（ａ）において、対数目盛と直線比例目盛の両方を持つ二重目盛指示計５２は、図３に示すワイドレンジ回転数信号変換器２の出力で回転数を指示する。ＬＥＤ式表示灯５３は直線比例目盛で読むとき点灯表示される。ＬＥＤ式表示灯５４は対数目盛で読み取るときに点灯表示される。図４（ｂ）は二重目盛指示計の入力・目盛特性を示している。
【００３８】
この発明による実施の形態２では、回転数信号変換器は従前の回転数信号変換器で得られる直線目盛信号と、実施の形態１に記した対数目盛信号の両方の出力を可能として、従前の直線目盛の長所を取り入れ読み取りやすくしたものである。
【００３９】
また、この発明による実施の形態２では、回転数指示計は、前項に記載の発明によるワイドレンジ回転数信号変換器で形成された直線目盛信号と対数目盛信号の２つの信号を１台の指示計で受け直線目盛と対数目盛の両方を読み取ることができるようにしたものである。
【００４０】
この発明による実施の形態２によれば、実施の形態１における構成において、直線比例目盛信号と、前記対数変換手段で得られる対数目盛信号とを選択する目盛選択スイッチ６１からなる選択手段を設けたので、小さな回転数から大きな回転数まで安定した回転数検出を行えるとともに、直線目盛信号と対数目盛信号とのいずれかを選択でき出力信号の識別が容易な回転数検出装置を提供することができる。
【００４１】
また、この発明による実施の形態２によれば、前項における構成において、前記選択手段により選択される直線比例目盛信号または対数目盛信号が回転数信号として入力される指示計または記録計等の二重目盛計器を設けたので、小さな回転数から大きな回転数まで安定した回転数検出を行えるとともに、直線目盛信号と対数目盛信号とのいずれかを選択できて読み取りが容易な二重目盛計器を持つ回転数検出装置を提供することができる。
【００４２】
実施の形態３．
この発明による実施の形態３を図５および図６について説明する。図５は実施の形態３における回路構成を示すブロック図である。図６（ａ）は実施の形態３における２ゾーン目盛指示計の外観構成を示す斜視図である。図６（ｂ）は２ゾーン目盛指示計の入力・目盛特性を示す特性線図である。
この実施の形態３において、ここで説明する特有の構成以外の構成については、先に説明した実施の形態１および実施の形態２における構成と同一の構成内容を具備し、同様の作用を奏するものである。図中、同一符号は同一または相当部分を示す。
【００４３】
実施の形態１によるワイドレンジ回転数信号変換器１では出力は対数目盛信号のみであった。対数目盛では、目盛刻線が等間隔にはならないので読み取りに一瞬戸惑う。直線比例目盛で可能な範囲は直線比例目盛を採用するほうが運転員に優しい。実施の形態２によるワイドレンジ回転数信号変換器２と二重目盛指示計５２の組み合わせでは、目盛選択スイッチ設置場所からワイドレンジ回転数信号変換器のケーブルおよび使用目盛ランプ表示用ケーブルが必要で工事費が増える。
【００４４】
図５は実施の形態３を示す回路構成図である。実施の形態３におけるワイドレンジ回転数信号変換器３には、比較器４１、アナログスイッチ４２、直線比例信号利得調整用抵抗３２、直線比例信号零点調整用抵抗３３が設けられている。出力調整回路２５の出力は２ゾーン目盛指示計５３に供給される。他の構成素子は実施の形態１と同じである。
【００４５】
動作について説明する。
図５において比較器４１はゾーン区分回転数判別用で設定された回転数以下か、越えているかを判定する。アナログスイッチ４２は比較器４１の出力にて設定された回転数以下のときは対数目盛信号を出力調整器に送る。設定された回転数を越えているときは直線目盛信号を出力調整器に送る。たとえばゾーン区分回転数を１０ｒｐｍとすると１０ｒｐｍ以下のときは対数目盛信号を１０ｒｐｍ以上のときは直線比例目盛を出力する。
【００４６】
図６（ａ）は実施の形態３における２ゾーン目盛指示計の外観構成を示す斜視図である。図６（ａ）において、２ゾーン目盛指示計５３は対数圧縮目盛と直線比例目盛を備えている。実施の形態２に示した二重目盛指示計ではどちらの目盛で読み取るのかを示す表示灯が必要であったが、この実施の形態３による２ゾーン目盛指示計は目盛は１本なので使用目盛表示用表示灯は不要である。図６（ｂ）は２ゾーン目盛指示計の入力・目盛特性を示している。
【００４７】
この発明による実施の形態３では、ワイドレンジ回転数信号変換器３は任意の回転数より小さな領域では対数目盛信号を、大きな領域では直線比例信号を出力可能としたものである。これにより、ワイドレンジ回転数信号変換器３の大きな回転数域における出力信号の識別が容易となり、読み取り誤差軽減と読み取りやすさ向上が図れる。
【００４８】
また、この発明による実施の形態３では、２ゾーン目盛指示計は前項の発明による回転数信号変換器の出力を受けて任意の回転数より小さな領域では対数目盛で、大きな領域では直線比例目盛で読み取ることを可能にしたものである。
【００４９】
この発明による実施の形態３によれば、実施の形態１における構成において、回転数信号としての直線比例目盛信号と、前記対数変換器１８からなる対数変換手段で得られる回転数信号としての対数目盛信号とを回転数に応じて選択するアナログスイッチ４２からなる選択手段を設けたので、小さな回転数から大きな回転数まで安定した回転数検出を行えるとともに、直線目盛信号と対数目盛信号とのいずれかが回転数に応じ選択されて出力信号の識別が容易な回転数検出装置を提供することができる。
【００５０】
また、この発明による実施の形態３によれば、前項の構成において、前記選択手段により選択される直線比例目盛信号または対数目盛信号が回転数信号として入力される２ゾーン目盛指示計５３からなる指示計または記録計等の２ゾーン目盛計器を設けたので、小さな回転数から大きな回転数まで安定した回転数検出を行えるとともに、直線目盛信号と対数目盛信号とのいずれかが回転数に応じ選択されて読み取りか容易な２ゾーン目盛計器を持つ回転数検出装置を提供することができる。
【００５１】
従前の回転数検出装置のレンジアビリティー（最大目盛:読み取ることができる最小目盛）は１００：１程度であるが、この発明による実施の形態１から実施の形態３までにおける回転数検出装置と指示計の組合では１００００：１が実現できる。従前の１／１００まで小さな値まで読み取ることが可能になる。
【００５２】
この発明による実施の形態２におけるワイドレンジ回転数信号変換器と二重目盛指示計の組合せで大きな回転数域では直線比例出力を選択すれば読み取り誤差軽減と、読み取りやすさ向上が図れる。小さな回転数では対数目盛出力を選択することで直線比例目盛では読み取れない小さな回転数も読み取ることができる。直線比例目盛と、対数目盛信号の各々の長所を任意に切り替え利用できる。
【００５３】
この発明による実施の形態３におけるワイドレンジ回転数信号変換器と２ゾーン目盛指示計の組合せでは、実施の形態２におけるような目盛選択なしに、小さい回転数は対数目盛で、大きな回転数域では直線比例目盛で読み取ることができる。２ゾーン目盛指示計は目盛は１本なので使用目盛表示用表示灯は不要である。
【００５４】
この発明による実施の形態１から実施の形態３までにおいて回転数表示は指示計と限定された表記であるが、記録計であってもよい。記録計の場合、目盛は記録紙に記載されるが対数目盛を記録紙に記入することで指示計の場合と同様の効果がある。実施の形態２に相当する二重目盛方式で記録計に応用するときは対数目盛信号か、直線比例目盛信号両方を記録すればよい。
【００５５】
この発明による実施の形態１から実施の形態３までにおけるワイドレンジ回転数信号変換器出力にコンパレータを設けることで対数目盛信号といっても直線比例目盛信号の場合と同様に設定値以上で閉じる接点信号等を出力させることも可能である。接点式のみならずトランジスタのオープンコレクタ出力等も問題なく搭載できる。
【００５６】
この発明による実施の形態１から実施の形態３まででは回転数目盛は０．５〜５０００ｒｐｍとしたが、計算、説明、理解を容易ならしめるための典型的な数値を挙げたもので、この数値に限定されるものではない。種々の機械システムが要求する仕様に応用可能である。
【００５７】
この発明による実施の形態３では、ソーン区分設定点を１０ｒｐｍとしたが、いくらであっても対応は可能である。ソーン区分設定点が大きくなれば直線比例目盛ゾーンが狭くなるが、ソーン区分点設定には機械の運転状況を考慮することで実用上問題なく利用できる。
【図面の簡単な説明】
【００５８】
【図１】この発明による実施の形態１における回路構成を示すブロック図である。
【図２】この発明による実施の形態１における指示計の外観構成を示す斜視図および入力・目盛特性を示す特性線図である。
【図３】この発明による実施の形態２における回路構成を示すブロック図である。
【図４】この発明による実施の形態２における指示計の外観構成を示す斜視図および入力・目盛特性を示す特性線図である。
【図５】この発明による実施の形態３における回路構成を示すブロック図である。
【図６】この発明による実施の形態３における指示計の外観構成を示す斜視図および入力・目盛特性を示す特性線図である。
【符号の説明】
【００５９】
１，２，３  ワイドレンジ回転数信号変換器、８  回転数信号発生器、９  回転数信号、１０  波形整形器、１１  クロックパルス発生器、１２  パルスカウンタ、１３  アナログスイッチ、１４  ワンショット発生器、１５  積分器、１６  使用目盛表示用ランプ電源供給回路、１７  回転数零検出回路、１８  対数変換器、１９  ディジタルアナログ変換器、２１  出力調整器、２２  利得調整用可変抵抗器、２３  零点調整用可変抵抗器、２５  出力調整回路、３２  直線比例信号利得調整用抵抗、３３  直線比例信号零点調整用抵抗、４１  比較器、４２  アナログスイッチ、５１  対数圧縮目盛指示計、５２  二重目盛指示計、５３  ２ゾーン目盛指示計、６１  目盛選択スイッチ。
【図１】
2005249620.tif 000003
【図２】
2005249620.tif 000004
【図３】
2005249620.tif 000005
【図４】
2005249620.tif 000006
【図５】
2005249620.tif 000007
【図６】
2005249620.tif 000008